(57)【特許請求の範囲】
【請求項１】
被制御設備とこれに電力を供給する電源設備との間に挿入された被制御側電源制御器、及び計算機の電源投入指令により上記被制御側電源制御器を制御して上記電源設備と上記被制御設備との接続を入り切りする制御側電源制御器を備え、上記制御側電源制御器は、上記計算機の指令により上記被制御側電源制御器に向けて電源投入信号を出す制御側の送信部と、上記被制御側電源制御器から送られてくる信号を受信し、これを上記計算機に送る制御側の受信部とを有し、一方、上記被制御側電源制御器は、上記制御側の送信部から送られる信号を受信する被制御側の受信部と、上記制御側の受信部に信号を送る被制御側の送信部と、上記被制御側の受信部が信号を受信したときに動作して上記電源設備を上記被制御設備に接続すると同時に上記被制御側の送信部を駆動して電源投入確認信号を出させる接点を有するリレーとを有していることを特徴とする電源制御装置。
【請求項２】
上記制御側電源制御器及び上記被制御側電源制御器のそれぞれは、上記計算機及び上記電源設備に対して並列に接続された少なくとも２個の送信部及び受信部を備え、また上記被制御側電源制御器の上記２個の受信部のそれぞれには、この受信部が信号を受信したときに動作して上記電源設備を上記被制御設備に接続すると同時に上記被制御側の送信部を駆動して電源投入確認信号を出させる接点を有するリレーが接続されていることを特徴とする請求項１に記載の電源制御装置。
【請求項３】
上記被制御側電源制御器がｎ個からなり、各被制御側電源制御器の上記送信部は隣接する被制御側電源制御器の上記受信部に接続され、第１番目の被制御側電源制御器の受信部は上記制御側電源制御器の上記送信部に、また、第ｎ番目の被制御側電源制御器の送信部は上記制御側電源制御器の上記受信部にそれぞれ接続されていることを特徴とする請求項１または請求項２に記載の電源制御装置。
【請求項４】
各種事象を検出する自己発信器を具備し、上記被制御側電源制御器は、上記事象の検出による上記自己発信器からの信号を受けたとき、上記被制御側の送信部を一定時間駆動して上記計算機への電源投入要求信号を出させる接点を有するタイマーリレーを備えたことを特徴とする請求項１〜請求項３のいずれか一項に記載の電源制御装置。
【請求項５】
上記送信部と上記受信部は光ケーブルで結ばれ、上記送信部と上記受信部は光信号を送受するものであることを特徴とする請求項１〜請求項４のいずれか一項に記載の電源制御装置。
【発明の詳細な説明】
【技術分野】
【０００１】
この発明は、被制御設備に電源を供給する電源設備を遠隔の場所から制御し、電源設備の消費電力を軽減するようにした電源制御装置に関するものである。
【背景技術】
【０００２】
従来のネットワーク電源制御方式の被制御側の通信制御装置においては、自己の消費電力を抑える機能がないので、通信制御装置を使用していないときにも無駄な電力を消費している。これを避けるため、例えば特許文献１に開示されている遠隔計測システムでは、局装置から離れて設置されている計測装置の電源を局装置よりの要求により必要な時間のみ投入し、バッテリーの消耗を抑えるようにしている。
【０００３】
【特許文献１】特開平１１−８６１７２号公報
【発明の開示】
【発明が解決しようとする課題】
【０００４】
ところで、上記従来の装置は、制御側から被制御側へ電源投入の指令は出せるが、被制御側での電源投入がなされたことを制御側でモニターすることが考慮されていない。また、制御側の待機時に被制御側から制御側に電源投入要求を出す必要が生じた場合にも、その要求を出す手段を備えていない。
【０００５】
この発明は上記のような課題を解決するためになされたものであり、被制御設備が動作を行っていないときの被制御側の消費電力を大幅に抑制することで、被制御側の蓄電池などの電源設備の容量を大幅に低減できることはもちろん、制御側の指令に応じて被制御側の電源投入が行われたことを電源投入確認信号により制御側で確実に把握できると同時に、信号伝送ケーブルの断線等の故障も検知できる信頼性の高い電源制御装置を得ることを目的とする。
【課題を解決するための手段】
【０００６】
この発明に係る電源制御装置は、被制御設備とこれに電力を供給する電源設備との間に挿入された被制御側電源制御器、及び計算機の電源投入指令により上記被制御側電源制御器を制御して上記電源設備と上記被制御設備との接続を入り切りする制御側電源制御器を備え、上記制御側電源制御器は、上記計算機の指令により上記被制御側電源制御器に向けて電源投入信号を出す制御側の送信部と、上記被制御側電源制御器から送られてくる信号を受信し、これを上記計算機に送る制御側の受信部とを有し、一方、上記被制御側電源制御器は、上記制御側の送信部から送られる信号を受信する被制御側の受信部と、上記制御側の受信部に信号を送る被制御側の送信部と、上記被制御側の受信部が信号を受信したときに動作して上記電源設備を上記被制御設備に接続すると同時に上記被制御側の送信部を駆動して電源投入確認信号を出させる接点を有するリレーとを有していることを特徴とするものである。
【発明の効果】
【０００７】
この発明によれば、電源装置は、被制御設備が動作を行っていないときは被制御側の受信部のみに電源を供給するように構成したので、被制御設備が動作を行っていないときの消費電力を抑制し、被制御側の蓄電池などの電源設備の容量を大幅に低減できることはもちろん、被制御設備の電源投入を、制御側で電源投入確認信号を受信することによりモニターできるため、電源の投入の確認と共に、伝送ケーブルの故障も検知できる。
【発明を実施するための最良の形態】
【０００８】
実施の形態１．
以下、この発明の実施の形態１を図１に基づいて説明する。実施の形態１に係る電源制御装置は、被制御設備５に電源設備１３を接離する制御を、被制御設備５から離れた場所から行うものであり、被制御設備５の電源の入り切りを遠隔の場所から指示する計算機４と、この計算機４の指令により制御信号を授受する制御側電源制御器１と、この制御側電源制御器１から遠隔の場所に設置された被制御設備５を制御する被制御側電源制御器２と、被制御設備５等に電源を供給する電源設備１３と、自己発信器１４と、制御側電源制御器１と被制御側電源制御器２とを結ぶ光ケーブル３、１９、２２、２５とからなる。
【０００９】
制御側電源制御器１は、光送信部６、２１と光受信部７、２０とを備え、光送信部６、２１は信号線１０で、また、光受信部７、２０は信号線１１で計算機４に接続されている。計算機４は制御側電源制御器１を通して被制御側電源制御器２及び被制御設備５全体の電源を制御する。
【００１０】
被制御設備５側に設けられた被制御側電源制御器２は、光受信部８、２４と光送信部９、２３を備えている。電源設備１３から延びる電源線１５と光受信部８との間には光受信部８が光を受信したときに駆動される光受信リレーコイル２６が接続され、同様に、電源線１５と光受信部２４との間には光受信部２４が光を受信したときに駆動される光受信リレーコイル３５が接続されている。
【００１１】
光受信リレーコイル２６のリレー接点の一つ２６Ａは、被制御設備５を電源線１５に結ぶ電源線１６の途中に挿入され、リレー接点の他の一つ２６Ｂは光送信部９と電源線１５との間に挿入されている。光受信リレーコイル３５のリレー接点の一つ３５Ａは光送信部２３と電源線１５との間に挿入され、リレー接点の他の一つ３５Ｂは、上述の接点２６Ａに並列に接続されている。自己発信器１４と電源線１５との間には、自己発信器１４からのパルス信号で一定時間駆動するタイマーリレー２９が設けられ、このタイマーリレーの接点２９Ａと２９Ｂはリレー接点３５Ａとリレー接点２６Ｂにそれぞれ並列に接続されている。
【００１２】
自己発信器１４は雨量計などの設備で、事象（例えば一定以上の雨量に達したこと）を検出するとパルス信号を発するもので、信号線１８により、被制御側電源制御器２のタイマーリレー２９に接続され、自発的にタイマーリレー２９を駆動して光送信部９、２３の電源を制御する。光受信部８、２４には電源線１５から電源が供給されている。
【００１３】
制御側電源制御器１の光送信部６、２１はそれぞれ光ケーブル３、２５で被制御側電源制御器２の光受信部８、２４に接続されている。また、制御側電源制御器１の光受信部７、２０はそれぞれ光ケーブル１９、２２で被制御側電源制御器２の光送信部９、２３に接続されている。なお、上記説明では送受信部に光送受信部を用い、伝送線を光ケーブルとしているが、これは光を用いるものに限らなくてもよい。
【００１４】
次に動作を説明する。制御側電源制御器１は、計算機４から信号線１０を通して電源投入信号を受けることにより光送信部６が光ケーブル３に光信号を送信する。被制御側電源制御器２は光ケーブル３を通して光信号を光受信部８で受光する。光受光部８は、光受信リレーコイル２６を駆動して接点２６Ａ、２６Ｂを閉合する。光受信リレーコイル２６は光受信リレーの接点２６Ａが閉合することにより、被制御設備５を電源設備１３に接続する。同時に、もう一つの光受信リレーの接点２６Ｂで光送信部９に電源を投入する。光送信部９は電源が投入されることで、光ケーブル１９を通して、制御側電源制御器１に向けて光信号を送信する。
【００１５】
制御側電源制御器１は被制御側の光送信部９からの光信号を光受信部７で受ける。光受光部７は計算機４に対して被制御設備５の電源が投入されたことを知らせる電源投入確認信号を信号線１１で渡す。計算機４は制御側電源制御器２からの電源投入確認信号で被制御設備５の電源が投入されたことを確認できる。
【００１６】
また、制御側電源制御器１のもう一つの光送信部２１は計算機４から信号線１０を通して電源投入信号を受けることにより光ケーブル２５に光信号を送信する。被制御側電源制御器２は光ケーブル２５を通して光信号をもう一つの光受信部２４で受光し、前記と同じように光受信リレーコイル３５を駆動する。光受信リレーコイル３５は光受信リレーの接点３５Ｂで被制御設備５の電源を投入すると共に、もう一つの光受信リレーの接点３５Ａで光送信部２３に電源を投入する。光送信部２３は電源が投入されることで、光ケーブル２２を通して、制御側に向けて光信号を送信する。
【００１７】
制御側電源制御器１は被制御側の光送信部２３からの光信号を光受信部２０で受けた後、光受信部２０は計算機４に対して被制御設備５の電源が投入された電源投入確認信号を前記と同じ信号線１１で渡す。計算機４は制御側電源制御器１からの電源投入確認信号で被制御側の電源が投入されたことを確認できる。
【００１８】
次に、自己発信器１４の動作を説明する。自己発信器１４は制御側が電源制御を休止しているとき、即ち待機状態のときに、被制御側から制御側に電源制御を促すためのものである。自己発信器１４は例えば雨量計を含む発信器であり、この自己発信器１４で所定値以上の雨量を計測したときに被制御設備５に電源を供給して被制御設備５の稼動を開始させるような場合に利用する。
【００１９】
自己発信器１４は事象、例えば一定以上の雨量に達したことを検出することでパルス信号を信号線１８を通して出し、タイマーリレー２９を駆動する。タイマーリレー２９はタイマーリレーの接点２９Ａ、２９Ｂを一定時間閉じ、光送信部９と２３の電源を投入する。光送信部９、２３は、電源が投入されることで作動し、光ケーブル１９、２２を通して、制御側に向けて光信号を送信する。
【００２０】
制御側電源制御器１は被制御側からの光信号を光受信部７、２０で受け、計算機４に対して被制御設備５の電源が投入された電源投入確認信号と同じ信号を信号線１１で渡す。計算機４は制御側電源制御器１からの電源投入確認信号と同じ信号を受ける。制御側が待機状態のときに計算機４が電源投入確認信号と同じ信号を受けると、計算機４はこの信号を電源投入指令要求信号と判断し、信号線１０を通して光送信部６、２１に指令を送り、被制御側電源制御器２に被制御設備５の電源を投入させる。
【００２１】
本実施の形態１では、電源設備１３の電源線１５は、光受信部８、２４、光受信リレーコイル２６、３５、タイマーリレーのコイル２９、光受信リレー２６の接点２６Ａ、２６Ｂ、光受信リレー３５の接点３５Ａ、３５Ｂ、及びタイマーリレー２９の接点２９Ａ、２９Ｂに接続されている。計算機４が電源投入制御を行っていない場合は光受信リレーコイル２６、３５とタイマーリレーコイル２９は駆動されていないので電力を消費しない。また、光受信リレーの接点２６Ａ、２６Ｂ、３５Ａ、３５Ｂとタイマーリレー２９の接点２９Ａ、２９Ｂは開いているので光送信部９、２３と被制御設備５も電力を消費しない。従って、電源制御が行われていない待機状態では光受信部８、２４のみが電力を消費するように構成したので待機時低消費電力の装置を得ることができる。このとき、制御側では、電源投入確認信号を受信するようにしているので、電源投入を指示したにも関わらず電源投入確認信号が受信できないときは、機器或いは伝送線路の故障と判断できる。
【００２２】
また、計算機４は電源投入制御を行っていない時に電源投入確認信号と同じ信号を受けることで、自己発信器１４が事象を検知したことを認識することができ、計算機４は自己発信器１４の事象検知により被制御側の電源投入制御をおこなうように構成したので、被制御側から自発的に電源投入制御を要求することのできる装置を得ることができる。
【００２３】
また、計算機４からの電源投入信号は制御側の光送信部６と２１に同時に渡され、光送信部６と２１はそれぞれに接続されている光ケーブル３と２５に光を送信し、被制御側電源制御器２の光受信部８と２４で受光する。光受信部８と２４のいずれかで受光することで光受信リレーコイル２６は動作するので、光ケーブル３と２５のいずれかが断線しても電源制御に支障を生じない、信頼性の高い装置を得ることができる。
【００２４】
また、被制御側の光送信部９と２３は光受信リレーの接点２６Ｂ、３５Ａまたはタイマーリレー２９の接点２９Ａ、２９Ｂが閉じることで同時に制御側電源制御器１へ光信号を送信する。制御側電源制御器１の光受信部７と２０のいずれかで光信号を受信すると信号線１１で計算機４へ信号を渡すことができるので、光ケーブル１９と２２のいずれかが断線しても信号を確認することができるので、信頼性の高い装置を得ることができる。
【００２５】
実施の形態２．
図２はこの発明の実施の形態２の構成を示すもので、上記実施の形態１の構成から、被制御側の自己発信器１４を省略し、これに伴って被制御側電源制御部２Ａは、関連するタイマーリレー２９、タイマーリレー接点２９Ａ、２９Ｂを図１から省略した構成となっている。その他の構成及び動作は図１のものと同じであるので、図１に相当する要素に同一符号を付すことで重複する説明を省略する。
【００２６】
図２の装置では、被制御側から自発的に電源投入を促す制御をすることはできないが、それ以外の機能は図１のものと同じように計算機４側から電源制御ができるもので、構成は一段と簡単になる。
【００２７】
実施の形態３．
図３はこの発明の実施の形態３の構成を示すものであり、図１に相当する要素には同一符号を付している。上記の実施の形態１では、光ケーブル４本を使用し、光ケーブル３と２２のいずれかが断線しても電源投入制御ができる。また、光ケーブル１９と２５のいずれかが断線しても被制御側の電源投入が完了したことを示す電源投入確認信号を計算機４に渡すことができる構成になっている。これに対して、図３では、光ケーブル３と１９の２本のみ使用するように、制御側電源制御器１Ａは、光送信部、光受信部を各１台に簡略化し、被制御側電源制御器２Ｂも光送信部、光受信部を各１台に簡略化することで光ケーブルが断線した場合の動作を除き、実施の形態１と同じ機能を持つ装置を安価に得ることができる。
【００２８】
実施の形態４．
図４はこの発明の実施の形態４の構成を示すものである。上記実施の形態３では、自己発信器１４により事象を検出することで、パルス信号は信号線１８を通して、タイマーリレー２９を駆動し、タイマーリレー２９の接点２９Ａを一定時間閉じ、光送信部９に電源を投入することで、光ケーブル１９を通して、制御側に向けて光信号を送信する場合について述べた。
【００２９】
本実施の形態４では、図４に示すように、図３の構成から、被制御側の自己発信器１４を省略し、被制御側電源制御器２Ｃは、自己発信器に関連する回路であるタイマーリレー２９、タイマーリレー接点２９Ａを省略したもので、被制御側から自発的に電源の投入を促すことはできないが、計算機４からの電源投入制御ができる装置を得るものである。その他の構成及び動作は図３と同様である。
【００３０】
実施の形態５．
図５はこの発明の実施の形態５の構成を示すものである。上記実施の形態１では、計算機１個で被制御側１個の電源制御を行う場合について述べたが、本実施の形態５では、図５に示すように、被制御側の設備複数個（ｎ個）を光ケーブルでループ状に接続して、複数個の設備を同時に制御することができるようにしたものである。
【００３１】
制御側は１個の計算機４と１個の制御側電源制御器１からなる。計算機４と制御側電源制御器１との関係は、実施の形態１と同様である。被制御側には複数の被制御側電源制御器２、２ａ、２ｂを備え、その各々に、電源設備１３、１３ａ、１３ｂと被制御設備５、５ａ、５ｂと自己発信器１４、１４ａ、１４ｂが接続されている。図５において、被制御側電源制御器２と２ａ、２ｂは同じ構成であり、これは図１に示すとおりである。
【００３２】
制御側電源制御器１の光送信部と被制御側電源制御器２の一つの光受信部とが光ケーブル４１で結ばれている。被制御側電源制御器２の一つの光送信部と被制御側電源制御器２ａの一つの光受信部とが光ケーブル４４で結ばれている。被制御側電源制御器２ａの一つの光送信部と被制御側電源制御器２ｂの一つの光受信部とが光ケーブル３１で結ばれている。さらに、被制御側電源制御器２ｂの一つの光送信部と制御側電源制御器１の一つの光受信部とが光ケーブル３３で結ばれている。
【００３３】
制御側電源制御器１のもう一つの光送信部と被制御側電源制御器２のもう一つの光受信部とが光ケーブル４２で結ばれている。被制御側電源制御器２のもう一つの光送信部と被制御側電源制御器２ａのもう一つの光受信部とが光ケーブル４３で結ばれている。被制御側電源制御器２ａのもう一つの光送信部と被制御側電源制御器２ｂのもう一つの光受信部とが光ケーブル３２で結ばれている。さらに、被制御側電源制御器２ｂのもう一つの光送信部と制御側電源制御器１のもう一つの光受信部とが光ケーブル３４で結ばれている。
【００３４】
次に動作を説明する。計算機４からの電源投入制御信号を制御側電源制御器１が受け、光ケーブル４１を通して光信号を被制御側電源制御器２に送る。被制御側電源制御器２は光ケーブル４１からの光信号を受信することで被制御設備５の電源を投入すると共に光ケーブル４４を通して次に接続されている被制御側電源制御器２ａに対して光信号を送信する。被制御側電源制御器２ａは光ケーブル４４の光信号を受信することで被制御設備５ａの電源を投入すると共に光ケーブル３１を通して次に接続されている被制御側電源制御器２ｂに対して光信号を送信する。被制御側電源制御器２ｂは光ケーブル３１の光信号を受信することで被制御設備５ｂの電源を投入すると共に光ケーブル３３を通して制御側電源制御器１に対して光信号を送信する。制御側電源制御器１は計算機４に対して電源投入確認信号を渡す。
【００３５】
また、制御側電源制御器１は計算機４からの電源制御信号を受け、光ケーブル３４を通して光信号を被制御側電源制御器２ｂに送る。被制御側電源制御器２ｂは光ケーブル３４からの光信号を受信することで被制御設備５ｂの電源を投入すると共に光ケーブル３２を通して次に接続されている被制御側電源制御器２ａに対して光信号を送信する。被制御側電源制御器２ａは光ケーブル３２の光信号を受信することで被制御設備５ａの電源を投入すると共に光ケーブル４３を通して次に接続されている被制御側電源制御器２に対して光信号を送信する。被制御側電源制御器２は光ケーブル４３の光信号を受信することで被制御設備５の電源を投入すると共に光ケーブル４２を通して制御側電源制御器１に対して光信号を送信する。制御側電源制御器１は光ケーブル４２の光信号を受けて計算機４に対して電源投入確認信号を渡す。
【００３６】
このように光信号の伝達ルートを二重化し、かつ、制御側電源制御器１から、二重化した伝送ルートに図で右回りと左回りの逆方向に光信号を発信することにより、例えば光ケーブル３１、３２が断線しても、被制御側電源制御器２と２ａは光ケーブル４１と４４で、被制御側電源制御器２ｂは光ケーブル３４で電源投入制御を行うことができる。
【００３７】
次に、計算機４及び制御側電源制御器１の待機中に、自己発信器の内、例えば自己発信器１４ａが事象を検出した場合についての動作を説明する。被制御側電源制御器２ａは、自己発信器１４ａのパルス信号を受け、一定時間、光ケーブル３１を通して、次の被制御側電源制御器２ｂに向けて光信号を送信する。被制御側電源制御器２ｂは光ケーブル３１の光信号を受信することで光ケーブル３３を通して制御側電源制御器１に対して光信号を送信する。制御側電源制御器１は計算機４に対して電源投入確認信号を渡す。計算機４は電源投入制御を行っていない時、すなわち待機中に電源投入確認信号を受けることで、自己発信器１４、１４ａ、１４ｂのいずれかが事象を検知したことを認識することができる。
【００３８】
また、被制御側電源制御器２ａは自己発信器１４ａのパルス信号を受け、一定時間、光ケーブル４３を通して、もう一方の被制御側電源制御器２へ光信号を送信する。被制御側電源制御器２は光ケーブル４３の光信号を受信することで光ケーブル４２を通して制御側電源制御器１に対して光信号を送信する。制御側電源制御器１は計算機４に対して電源投入確認信号を渡す。このことで伝達ルートは二重化され、例えば光ケーブル３１、３２が断線しても、被制御側電源制御器２ａから光ケーブル４３、被制御側電源制御器２から光ケーブル４２を通すルートで電源投入確認信号を計算機４に渡すことができる。
【００３９】
実施の形態６．
図６はこの発明の実施の形態６の構成を示す図である。実施の形態６は、実施の形態５の被制御側電源制御器２を、図２に示す被制御側電源制御器２Ａに置き換えたものである。被制御側電源制御器２Ａａ、２Ａｂは被制御側電源制御器２Ａと同じ構成である。
【００４０】
図６に示すように、被制御側の設備に自己発信器が無い場合、被制御側から自発的に電源投入を促す制御をすることはできないが、計算機４から被制御側の設備複数台の電源投入制御ができるのは実施の形態５と同じであり、構成の簡単な装置を得ることができる。
【００４１】
実施の形態７．
図７はこの発明の実施の形態７の構成を示す図である。実施の形態７は、実施の形態３において、１個の制御側電源制御器１Ａに対して、被制御側電源制御器を複数個（図では３個）直列に接続した構成にしたものである。被制御側電源制御器２Ｂと２Ｂａ、２Ｂｂは同一の構成であり、これは図３に示したとおりである。
【００４２】
図７において、制御側電源制御器１Ａの光送信部と被制御側電源制御器２Ｂの光受信部とが光ケーブル４１で結ばれている。被制御側電源制御器２Ｂの光送信部と被制御側電源制御器２Ｂａの光受信部とが光ケーブル４４で結ばれている。被制御側電源制御器２Ｂａの光送信部と被制御側電源制御器２Ｂｂの光受信部とが光ケーブル３１で結ばれている。さらに、被制御側電源制御器２Ｂｂの光送信部と制御側電源制御器１Ａの光受信部とが光ケーブル３３で結ばれている。
【００４３】
次に動作を説明する。計算機４からの電源投入制御信号を制御側電源制御器１Ａが受け、光ケーブル４１を通して光信号を被制御側電源制御器２Ｂに送る。被制御側電源制御器２Ｂは光ケーブル４１からの光信号を受信することで被制御設備５の電源を投入すると共に光ケーブル４４を通して次に接続されている被制御側電源制御器２Ｂａに対して光信号を送信する。被制御側電源制御器２Ｂａは光ケーブル４４の光信号を受信することで被制御設備５ａの電源を投入すると共に光ケーブル３１を通して次に接続されている被制御側電源制御器２Ｂｂに対して光信号を送信する。被制御側電源制御器２Ｂｂは光ケーブル３１の光信号を受信することで被制御設備５ｂの電源を投入すると共に光ケーブル３３を通して制御側電源制御器１Ａに対して光信号を送信する。制御側電源制御器１Ａは計算機４に対して電源投入確認信号を渡す。
【００４４】
次に、計算機４及び制御側電源制御器１の待機中に、自己発信器の内、例えば自己発信器１４ａが事象を検出した場合についての動作を説明する。被制御側電源制御器２Ｂａは自己発信器１４ａのパルス信号を受け、一定時間、光ケーブル３１を通して、次の被制御側電源制御器２Ｂｂに向けて光信号を送信する。被制御側電源制御器２Ｂｂは光ケーブル３１の光信号を受信することで光ケーブル３３を通して制御側電源制御器１Ａに対して光信号を送信する。制御側電源制御器１Ａは計算機４に対して電源投入確認信号を渡す。計算機４は電源投入制御を行っていない時に電源投入確認信号を受けることで、自己発信器１４、１４ａ、１４ｂのいずれかが事象を検知したことを認識することができ、これを受けて被制御側に電源投入指令を出す。
【００４５】
なお、上記の実施形態５では、光ケーブル２本を使用し、光ケーブルが同じ箇所で２本共に断線しても電源投入制御できる場合について述べたが、図７に示すように、光ケーブル１本を使用するように構成を簡略化することで、光ケーブルが断線した場合のバックアップを除き、図５と同じ機能を持つ装置を安価に得ることができる。
【００４６】
実施の形態８．
図８はこの発明の実施の形態８の構成を示す図である。実施の形態８は、実施の形態４において、１個の制御側電源制御器１Ａに対して、被制御側電源制御器を複数個（図では３個）直列に接続した構成にしたものである。被制御側電源制御器２Ｃと２Ｃａ、２Ｃｂは同一の構成であり、これは図４に示したとおりである。
【００４７】
図８において、制御側電源制御器１Ａの光送信部と被制御側電源制御器２Ｃ光受信部とが光ケーブル４１で結ばれている。被制御側電源制御器２Ｃの光送信部と被制御側電源制御器２Ｃａの光受信部とが光ケーブル４４で結ばれている。被制御側電源制御器２Ｃａの光送信部と被制御側電源制御器２Ｃｂの光受信部とが光ケーブル３１で結ばれている。さらに、被制御側電源制御器２Ｃｂの光送信部と制御側電源制御器１Ａの光受信部とが光ケーブル３３で結ばれている。
【００４８】
次に動作を説明する。計算機４からの電源投入制御信号を制御側電源制御器１Ａが受け、光ケーブル４１を通して光信号を被制御側電源制御器２Ｃに送る。被制御側電源制御器２Ｃは光ケーブル４１からの光信号を受信することで被制御設備５の電源を投入すると共に光ケーブル４４を通して次に接続されている被制御側電源制御器２Ｃａに対して光信号を送信する。被制御側電源制御器２Ｃａは光ケーブル４４の光信号を受信することで被制御設備５ａの電源を投入すると共に光ケーブル３１を通して次に接続されている被制御側電源制御器２Ｃｂに対して光信号を送信する。被制御側電源制御器２Ｃｂは光ケーブル３１の光信号を受信することで被制御設備５ｂの電源を投入すると共に光ケーブル３３を通して制御側電源制御器１Ａに対して光信号を送信する。制御側電源制御器１Ａは計算機４に対して電源投入確認信号を渡す。
【００４９】
なお、上記の実施形態６では、光ケーブル２本を使用し、光ケーブルが同じ箇所で２本共に断線しても電源投入制御できる場合について述べたが、図８に示すように、光ケーブル１本を使用するように構成を簡略化することで、光ケーブルが断線した場合のバックアップを除き、図６と同じ機能を持つ装置を安価に得ることができる。
【００５０】
以上、実施の形態５〜８においては被制御側設備３個で説明したが、被制御側の設備は無数に接続できる。
【図面の簡単な説明】
【００５１】
【図１】この発明の実施の形態１に係る電源制御装置を示すブロック図である。
【図２】この発明の実施の形態２に係る電源制御装置を示すブロック図である。
【図３】この発明の実施の形態３に係る電源制御装置を示すブロック図である。
【図４】この発明の実施の形態４に係る電源制御装置を示すブロック図である。
【図５】この発明の実施の形態５に係る電源制御装置を示すブロック図である。
【図６】この発明の実施の形態６に係る電源制御装置を示すブロック図である。
【図７】この発明の実施の形態７に係る電源制御装置を示すブロック図である。
【図８】この発明の実施の形態８に係る電源制御装置を示すブロック図である。
【符号の説明】
【００５２】
１、１Ａ  制御側電源制御器、２  被制御側電源制御器、
２Ａ、２Ａａ、２Ａｂ  被制御側電源制御器、
２Ｂ、２Ｂａ、２Ｂｂ  被制御側電源制御器、
２Ｃ、２Ｃａ、２Ｃｂ  被制御側電源制御器、
３  光ケーブル、４  計算機、５、５ａ、５ｂ  被制御設備、
６  制御側電源制御器の光送信部、７  制御側電源制御器の光受信部、
８  被制御側電源制御器の光受信部、９  被制御側電源制御器の光送信部、
１０  信号線、１１  信号線、１２  信号線、１３、１３ａ、１３ｂ  電源設備、
１４、１４ａ、１４ｂ  自己発信器、１５  電源線、１６  電源線、
１７  信号線、１８  信号線、１９  光ケーブル、２０  制御側電源制御器の光受信部、
２１  制御側電源制御器の光送信部、２２  光ケーブル、
２３  被制御側電源制御器の光送信部、２４  被制御側電源制御器の光送信部、
２５  光ケーブル、２６  光受信リレーコイル、２６Ａ、２６Ｂ  光受信リレーの接点、
２９  タイマーリレーのコイル、２９Ａ、２９Ｂ  タイマーリレーの接点、
３１〜３４  光ケーブル、
３５  光受信リレーのコイル、３５Ａ、３５Ｂ  光受信リレーの接点、３８  信号線、
３９  信号線、
４１〜４４  光ケーブル。
【図１】
0004879153.tif 000002
【図２】
0004879153.tif 000003
【図３】
0004879153.tif 000004
【図４】
0004879153.tif 000005
【図５】
0004879153.tif 000006
【図６】
0004879153.tif 000007
【図７】
0004879153.tif 000008
【図８】
0004879153.tif 000009